(57)【特許請求の範囲】
【請求項１】
駆動軸を介して接続されたプロペラを推進駆動するエンジンと、
前記エンジンのエンジン回転数を検出するエンジン回転数センサと、
前記エンジンによって駆動され、外部から冷却水取入口を介して取り込んだ水を前記エンジンの冷却水として循環させる冷却水ポンプと、
前記エンジン近傍における冷却水温度を検出する冷却水温度センサと、
所定の記録時間にわたって所定のサンプリング周期ごとに複数の時点における前記エンジン回転数と前記冷却水温度とを運転状態データとして適宜出力可能な状態で記憶する運転状態記憶手段と、
前記エンジンの各部位における故障状態を検出する故障検出手段とを備え、
前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とする船外機。
【請求項２】
駆動軸を介して接続されたプロペラを推進駆動するエンジンと、
前記エンジンのエンジン回転数を検出するエンジン回転数センサと、
前記エンジンによって駆動され、外部から冷却水取入口を介して取り込んだ水を前記エンジンの冷却水として循環させる冷却水ポンプと、
前記冷却水ポンプによって循環される冷却水の冷却水圧力を検出する冷却水圧力センサと、
所定の記録時間にわたって所定のサンプリング周期ごとに複数の時点における前記エンジン回転数と前記冷却水圧力とを運転状態データとして適宜出力可能な状態で記憶する運転状態記憶手段と、
前記エンジンの各部位における故障状態を検出する故障検出手段とを備え、
前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とする船外機。
【請求項３】
駆動軸を介して接続されたプロペラを推進駆動するエンジンと、
前記エンジンのエンジン回転数を検出するエンジン回転数センサと、
前記エンジンの各気筒への吸気通路において該吸気通路を開閉するスロットル弁をバイパスするバイパス通路と、
前記バイパス通路を開閉するバイパス開閉弁と、
前記バイパス開閉弁のバイパス開度を検出するバイパス開度検出手段と、
所定の記録時間にわたって所定のサンプリング周期ごとに複数の時点における前記エンジン回転数と前記バイパス開度とを運転状態データとして適宜出力可能な状態で記憶する運転状態記憶手段と、
前記エンジンの各部位における故障状態を検出する故障検出手段とを備え、
前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とする船外機。
【請求項４】
駆動軸を介して接続されたプロペラを推進駆動する４サイクルのエンジンと、
前記エンジンのエンジン回転数を検出するエンジン回転数センサと、
前記エンジンに対して潤滑油を循環させる潤滑油循環経路と、
前記潤滑油循環経路における潤滑油圧を検出する潤滑油圧センサと、
所定の記録時間にわたって所定のサンプリング周期ごとに複数の時点における前記エンジン回転数と前記潤滑油圧とを運転状態データとして適宜出力可能な状態で記憶する運転状態記憶手段と、
前記エンジンの各部位における故障状態を検出する故障検出手段とを備え、
前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とする船外機。
【請求項５】
前記所定のサンプリング周期は２分以下であることを特徴とする請求項１〜４のいずれかに記載の船外機。
【請求項６】
前記所定の記録時間は１５秒以上であることを特徴とする請求項１〜５のいずれかに記載の船外機。
【請求項７】
前記所定の記録時間は２分以上であることを特徴とする請求項１〜５のいずれかに記載の船外機。
【請求項８】
請求項１〜７のいずれかに記載の船外機において、前記運転状態記憶手段は、前記エンジン回転数が予め設定された第１の所定回転数以上または越えたときに前記運転状態データの更新を開始する一方、前記エンジンの回転数が第２の所定回転数以下または未満になったときに前記運転状態データの更新を停止するように構成されたことを特徴とする船外機。
【請求項９】
請求項１〜８のいずれかに記載の船外機において、
使用者等によって操作される記録停止スイッチを備え、
前記運転状態記憶手段は、前記記録停止スイッチにおいて記録停止命令の入力を受けた際には、前記運転状態データの更新を停止するように構成されたことを特徴とする船外機。
【請求項１０】
前記運転状態記憶手段には、少なくともエンジンの種類を特定可能なエンジン識別情報が適宜出力可能に記憶されていることを特徴とする請求項１〜９のいずれかに記載の船外機。
【請求項１１】
駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記エンジン近傍における冷却水温度を検出する冷却水温度センサと、所定の記録時間にわたって所定のサンプリング周期ごとに複数の時点における前記エンジン回転数と前記冷却水温度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段から前記エンジン識別情報および運転状態データを受信する受信手段と、
エンジンの種類別に各エンジンにおいて検出される運転状態データのデータ形式を記憶するデータ形式記憶手段と、
受信したエンジン識別情報に該当するエンジンの種類における前記データ形式に基づいて、受信した運転状態データを画面表示する表示手段と
を備えたことを特徴とする船外機の診断支援システム。
【請求項１２】
駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記冷却水ポンプによって循環される冷却水の冷却水圧力を検出する冷却水圧力センサと、所定の記録時間にわたって所定のサンプリング周期ごとに複数の時点における前記エンジン回転数と前記冷却水圧力とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段から前記エンジン識別情報および運転状態データを受信する受信手段と、
エンジンの種類別に各エンジンにおいて検出される運転状態データのデータ形式を記憶するデータ形式記憶手段と、
受信したエンジン識別情報に該当するエンジンの種類における前記データ形式に基づいて、受信した運転状態データを画面表示する表示手段と
を備えたことを特徴とする船外機の診断支援システム。
【請求項１３】
駆動軸を介して接続されたプロペラを推進駆動するエンジンと、前記エンジンのエンジン回転数を検出するエンジン回転数センサと、前記エンジンの各気筒への吸気通路において該吸気通路を開閉するスロットル弁をバイパスするバイパス通路と、前記バイパス通路を開閉するバイパス開閉弁と、前記バイパス開閉弁のバイパス開度を検出するバイパス開度検出手段と、所定の記録時間にわたって所定のサンプリング周期ごとに複数の時点における前記エンジン回転数と前記バイパス開度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段から前記エンジン識別情報および運転状態データを受信する受信手段と、
エンジンの種類別に各エンジンにおいて検出される運転状態データのデータ形式を記憶するデータ形式記憶手段と、
受信したエンジン識別情報に該当するエンジンの種類における前記データ形式に基づいて、受信した運転状態データを画面表示する表示手段と
を備えたことを特徴とする船外機の診断支援システム。
【請求項１４】
駆動軸を介して接続されたプロペラを推進駆動する４サイクルのエンジンと、前記エンジンのエンジン回転数を検出するエンジン回転数センサと、前記エンジンに対して潤滑油を循環させる潤滑油循環経路と、前記潤滑油循環経路における潤滑油圧を検出する潤滑油圧センサと、所定の記録時間にわたって所定のサンプリング周期ごとに複数の時点における前記エンジン回転数と前記潤滑油圧とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段から前記エンジン識別情報および運転状態データを受信する受信手段と、
エンジンの種類別に各エンジンにおいて検出される運転状態データのデータ形式を記憶するデータ形式記憶手段と、
受信したエンジン識別情報に該当するエンジンの種類における前記データ形式に基づいて、受信した運転状態データを画面表示する表示手段と
を備えたことを特徴とする船外機の診断支援システム。
【請求項１５】
請求項１１〜１４のいずれかに記載の船外機の診断を支援する診断支援システムにおいて、
エンジンの種類別に前記運転状態データの正常状態基準データを記憶する正常状態基準データ記憶手段を備え、
前記表示手段は、受信した運転状態データとともに、受信したエンジン識別情報に該当するエンジンの種類における前記正常状態基準データを画面表示するように構成されたことを特徴とする船外機の診断支援システム。
【請求項１６】
駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記エンジン近傍における冷却水温度を検出する冷却水温度センサと、所定の記録時間にわたって所定のサンプリング周期ごとに複数の時点における前記エンジン回転数と前記冷却水温度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムとして、コンピュータに、
前記船外機の運転状態記憶手段から前記エンジン識別情報および運転状態データを受信する受信処理と、
エンジンの種類別に各エンジンにおいて検出される運転状態データのデータ形式を記憶する記憶処理と、
受信したエンジン識別情報に該当するエンジンの種類における前記データ形式に基づいて、受信した運転状態データを画面表示する表示処理と
を実行させるためのプログラムを記録したコンピュータ読み取り可能な記録媒体。
【請求項１７】
駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記冷却水ポンプによって循環される冷却水の冷却水圧力を検出する冷却水圧力センサと、所定の記録時間にわたって所定のサンプリング周期ごとに複数の時点における前記エンジン回転数と前記冷却水圧力とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムとして、コンピュータに、
前記船外機の運転状態記憶手段から前記エンジン識別情報および運転状態データを受信する受信処理と、
エンジンの種類別に各エンジンにおいて検出される運転状態データのデータ形式を記憶する記憶処理と、
受信したエンジン識別情報に該当するエンジンの種類における前記データ形式に基づいて、受信した運転状態データを画面表示する表示処理と
を実行させるためのプログラムを記録したコンピュータ読み取り可能な記録媒体。
【請求項１８】
駆動軸を介して接続されたプロペラを推進駆動するエンジンと、前記エンジンのエンジン回転数を検出するエンジン回転数センサと、
前記エンジンの各気筒への吸気通路において該吸気通路を開閉するスロットル弁をバイパスするバイパス通路と、前記バイパス通路を開閉するバイパス開閉弁と、前記バイパス
開閉弁のバイパス開度を検出するバイパス開度検出手段と、所定の記録時間にわたって所定のサンプリング周期ごとに複数の時点における前記エンジン回転数と前記バイパス開度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムとして、コンピュータに、
前記船外機の運転状態記憶手段から前記エンジン識別情報および運転状態データを受信する受信処理と、
エンジンの種類別に各エンジンにおいて検出される運転状態データのデータ形式を記憶する記憶処理と、
受信したエンジン識別情報に該当するエンジンの種類における前記データ形式に基づいて、受信した運転状態データを画面表示する表示処理と
を実行させるためのプログラムを記録したコンピュータ読み取り可能な記録媒体。
【請求項１９】
駆動軸を介して接続されたプロペラを推進駆動する４サイクルのエンジンと、前記エンジンのエンジン回転数を検出するエンジン回転数センサと、前記エンジンに対して潤滑油を循環させる潤滑油循環経路と、前記潤滑油循環経路における潤滑油圧を検出する潤滑油圧センサと、所定の記録時間にわたって所定のサンプリング周期ごとに複数の時点における前記エンジン回転数と前記潤滑油圧とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムとして、コンピュータに、
前記船外機の運転状態記憶手段から前記エンジン識別情報および運転状態データを受信する受信処理と、
エンジンの種類別に各エンジンにおいて検出される運転状態データのデータ形式を記憶する記憶処理と、
受信したエンジン識別情報に該当するエンジンの種類における前記データ形式に基づいて、受信した運転状態データを画面表示する表示処理と
を実行させるためのプログラムを記録したコンピュータ読み取り可能な記録媒体。
【請求項２０】
請求項１６〜１９記載のコンピュータ読み取り可能な記録媒体において、コンピュータに、
エンジンの種類別に前記運転状態データの正常状態基準データを記憶する正常状態基準データ記憶処理とを実行させる一方、
前記表示手段として、受信した運転状態データとともに、受信したエンジン識別情報に該当するエンジンの種類における前記正常状態基準データを画面表示させるためのプログラムを記録したコンピュータ読み取り可能な記録媒体。
【請求項２１】
駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記エンジン近傍における冷却水温度を検出する冷却水温度センサと、所定の記録時間にわたって所定のサンプリング周期ごとに複数の時点における前記エンジン回転数と前記冷却水温度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段に記憶された前記エンジン識別情報および運転状態データをネットワーク回線を介して受信する受信手段と、
エンジンの種類別に各エンジンにおいて検出される運転状態データのデータ形式を記憶するデータ形式記憶手段と、
エンジンの種類別に予め設定された担当者が使用する担当者端末のアドレスを記憶するアドレス記憶手段と、
受信したエンジン識別情報に該当するエンジンの種類における前記データ形式に基づいて、受信したエンジン識別情報に該当するエンジンの種類に応じた担当者の担当者端末に対し、受信した運転状態データを転送する転送手段と
を備えたことを特徴とする船外機の診断支援システム。
【請求項２２】
駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記冷却水ポンプによって循環される冷却水の冷却水圧力を検出する冷却水圧力センサと、所定の記録時間にわたって所定のサンプリング周期ごとに複数の時点における前記エンジン回転数と前記冷却水圧力とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段に記憶された前記エンジン識別情報および運転状態データをネットワーク回線を介して受信する受信手段と、
エンジンの種類別に各エンジンにおいて検出される運転状態データのデータ形式を記憶するデータ形式記憶手段と、
エンジンの種類別に予め設定された担当者が使用する担当者端末のアドレスを記憶するアドレス記憶手段と、
受信したエンジン識別情報に該当するエンジンの種類における前記データ形式に基づいて、受信したエンジン識別情報に該当するエンジンの種類に応じた担当者の担当者端末に対し、受信した運転状態データを転送する転送手段と
を備えたことを特徴とする船外機の診断支援システム。
【請求項２３】
駆動軸を介して接続されたプロペラを推進駆動するエンジンと、前記エンジンのエンジン回転数を検出するエンジン回転数センサと、前記エンジンの各気筒への吸気通路において該吸気通路を開閉するスロットル弁をバイパスするバイパス通路と、前記バイパス通路を開閉するバイパス開閉弁と、前記バイパス開閉弁のバイパス開度を検出するバイパス開度検出手段と、所定の記録時間にわたって所定のサンプリング周期ごとに複数の時点における前記エンジン回転数と前記バイパス開度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段に記憶された前記エンジン識別情報および運転状態データをネットワーク回線を介して受信する受信手段と、
エンジンの種類別に各エンジンにおいて検出される運転状態データのデータ形式を記憶するデータ形式記憶手段と、
エンジンの種類別に予め設定された担当者が使用する担当者端末のアドレスを記憶するアドレス記憶手段と、
受信したエンジン識別情報に該当するエンジンの種類における前記データ形式に基づいて、受信したエンジン識別情報に該当するエンジンの種類に応じた担当者の担当者端末に対し、受信した運転状態データを転送する転送手段と
を備えたことを特徴とする船外機の診断支援システム。
【請求項２４】
駆動軸を介して接続されたプロペラを推進駆動する４サイクルのエンジンと、前記エンジンのエンジン回転数を検出するエンジン回転数センサと、前記エンジンに対して潤滑油を循環させる潤滑油循環経路と、前記潤滑油循環経路における潤滑油圧を検出する潤滑油圧センサと、所定の記録時間にわたって所定のサンプリング周期ごとに複数の時点における前記エンジン回転数と前記潤滑油圧とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、
前記船外機の運転状態記憶手段に記憶された前記エンジン識別情報および運転状態データをネットワーク回線を介して受信する受信手段と、
エンジンの種類別に各エンジンにおいて検出される運転状態データのデータ形式を記憶するデータ形式記憶手段と、
エンジンの種類別に予め設定された担当者が使用する担当者端末のアドレスを記憶するアドレス記憶手段と、
受信したエンジン識別情報に該当するエンジンの種類における前記データ形式に基づいて、受信したエンジン識別情報に該当するエンジンの種類に応じた担当者の担当者端末に対し、受信した運転状態データを転送する転送手段と
を備えたことを特徴とする船外機の診断支援システム。
【請求項２５】
請求項２１〜２４記載の船外機の診断を支援する診断支援システムにおいて、
エンジンの種類別に前記運転状態データの正常状態基準データを記憶する正常状態基準データ記憶手段を備え、
前記転送手段は、受信した運転状態データとともに、受信したエンジン識別情報に該当するエンジンの種類における前記正常状態基準データを転送するように構成されたことを特徴とする船外機の診断支援システム。
【発明の詳細な説明】
【０００１】
【発明の属する技術分野】
本発明は、船舶に用いられる船外機および船外機の診断支援システムに関する。
【０００２】
【従来の技術】
一般に、小型船舶等に搭載される船外機は艇体外部の水を冷却水ポンプで直接吸い上げてエンジンを冷却する冷却水としている。このため、水とともに砂や小石などを吸い込んでしまって冷却水ポンプのインペラが摩耗したり、あるいは海藻等が冷却水取入口に付着してしまい、冷却水が十分に供給されなくなることがある。
【０００３】
また、船外機は海上で使用されることが多いことから、吸気中に含まれる塩分が吸気通路のスロットル弁をバイパスするバイパス通路において、該バイパス通路を開閉するバイパス開閉弁（ＩＳＣバルブ）に固着してしまい、アイドリング回転が不安定になることがある。
【０００４】
また、船外機はエンジンの出力軸がプロペラに固定された減速比で連結されているので高回転領域で長時間運転されることが多く、このため４サイクルエンジンを搭載した船外機においては、燃焼室から漏れたガソリンが潤滑油に混入して潤滑油の粘性が低下し、適切な潤滑ができなくなることがある。
【０００５】
【発明が解決しようとする課題】
しかしながら、従来、このような原因によって船外機に不調が生じても、このような不調は所定の運転状態にある海上等で生じるものであり、港等に停泊中には再現できないことが多い。
【０００６】
このため、船外機に不調が生じても、これが船外機自体の故障による不調なのか保守不良による不調なのかなどを見分けて故障部位を特定することが困難であり、故障部位を特定するには船外機を分解して各部位を目視確認しなければならず、非常な時間と手間を要していた。
【０００７】
本発明は上記課題に鑑みてなされたものであり、その第１の目的は、容易に故障診断を行うことができ、ひいてはエンジン不調等の原因を容易に診断することができる船外機を提供することである。
【０００８】
また、本発明の第２の目的はこのような船外機についての診断を容易に行うことができる船外機の診断支援システムを提供することである。
【０００９】
【課題を解決するための手段】
本発明は、駆動軸を介して接続されたプロペラを推進駆動するエンジンと、前記エンジンのエンジン回転数を検出するエンジン回転数センサと、前記エンジンによって駆動され、前記エンジンによって駆動され、外部から冷却水取入口を介して取り込んだ水を前記エンジンの冷却水として循環させる冷却水ポンプと、前記エンジン近傍における冷却水温度を検出する冷却水温度センサと、所定の記録時間にわたって所定のサンプリング周期ごとに複数の時点における前記エンジン回転数と前記冷却水温度とを運転状態データとして適宜出力可能な状態で記憶する運転状態記憶手段と、前記エンジンの各部位における故障状態を検出する故障検出手段とを備え、前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とするものである。
【００１０】
このような船外機では、エンジン回転数が略一定で推移している定常状態においては、エンジン回転数に対する冷却水温度は、冷却系が正常であれば所定の適正範囲に収まる。
【００１１】
したがって、このような船外機によると、運転状態記憶手段に記憶された運転状態データを適宜出力させることにより、所定のサンプリング周期ごとの複数の時点における運転状態データが得られ、運転状態データが変化しておらず略一定で推移しているか否かから運転状態が定常状態にあるかを判断することができ、このような定常状態で運転された運転データが抽出できれば、運転状態データに含まれるエンジン回転数と冷却水温度との関係から冷却水温度が適正範囲にあるかを検討することにより、エンジンの冷却系に故障が生じているか否かを容易に判断することができる。また、複数時点の運転状態データが得られることから、この間のエンジン回転数と冷却水温度との関係の推移を検討することによって、冷却系の故障であっても、どの部位に故障が生じているかを推測することが可能になる。又、前記故障検出手段が何らかの故障状態を検出した場合であっても、エンジンを停止することなく、その故障状態に至る直前の運転状態データを残すことができるため、故障原因の究明に寄与することができる。
【００１２】
なお、冷却水ポンプによって外部から取り入れられる冷却水を直接エンジンを冷却する冷却水としても、あるいは外部から取り入れられる冷却水によってエンジン周辺の内部循環冷却水を冷却することでエンジンを間接的に冷却するようにしてもよい。
【００１３】
ただし、いずれにおいても冷却水温度センサはエンジン近傍の冷却水の冷却水温度を検出することが望ましい。
【００１４】
また、本発明は、駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記冷却水ポンプによって循環される冷却水の冷却水圧力を検出する冷却水圧力センサと、所定の記録時間にわたって所定のサンプリング周期ごとに複数の時点における前記エンジン回転数と前記冷却水圧力とを運転状態データとして適宜出力可能な状態で記憶する運転状態記憶手段と、前記エンジンの各部位における故障状態を検出する故障検出手段とを備え、前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とするものである。
【００１５】
このような船外機では、エンジン回転数が略一定で推移している定常状態においては、エンジン回転数に対する冷却水圧力は、冷却系が正常であれば所定の適正範囲に収まる。
【００１６】
したがって、このような船外機によると、運転状態記憶手段に記憶された運転状態データを適宜出力させることにより、所定のサンプリング周期ごとの複数の時点における運転状態データが得られ、運転状態データが変化しておらず略一定で推移しているか否かから運転状態が定常状態にあるかを判断することができ、このような定常状態で運転された運転データが抽出できれば、運転状態データに含まれるエンジン回転数と冷却水圧力との関係から冷却水圧力が適正範囲にあるかを検討することにより、エンジンの冷却系に故障が生じているか否かを容易に判断することができる。また、複数時点の運転状態データが得られることから、この間のエンジン回転数と冷却水圧力との関係の推移を検討することによって、冷却系の故障であっても、どの部位に故障が生じているかを推測することが可能になる。又、前記故障検出手段が何らかの故障状態を検出した場合であっても、エンジンを停止することなく、その故障状態に至る直前の運転状態データを残すことができるため、故障原因の究明に寄与することができる。
【００１７】
なお、冷却水ポンプによって外部から取り入れられる冷却水を直接エンジンを冷却する冷却水としても、あるいは外部から取り入れられる冷却水によってエンジン周辺の内部循環冷却水を冷却することでエンジンを間接的に冷却するようにしてもよい。
【００１８】
ただし、いずれにおいても冷却水圧力センサは冷却水ポンプによって循環される冷却水の冷却水圧力を検出することが望ましい。
【００１９】
また、本発明は、駆動軸を介して接続されたプロペラを推進駆動するエンジンと、前記エンジンのエンジン回転数を検出するエンジン回転数センサと、前記エンジンの各気筒への吸気通路において該吸気通路を開閉するスロットル弁をバイパスするバイパス通路と、前記バイパス通路を開閉するバイパス開閉弁と、前記バイパス開閉弁のバイパス開度を検出するバイパス開度検出手段と、所定の記録時間にわたって所定のサンプリング周期ごとに複数の時点における前記エンジン回転数と前記バイパス開度とを運転状態データとして適宜出力可能な状態で記憶する運転状態記憶手段と、前記エンジンの各部位における故障状態を検出する故障検出手段とを備え、前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とするものである。
【００２０】
このような船外機では、エンジン回転数が略一定で推移している定常状態においては、エンジン回転数に対するバイパス開閉弁のバイパス開度は、吸気系が正常であれば所定の適正範囲に収まる。
【００２１】
したがって、このような船外機によると、運転状態記憶手段に記憶された運転状態データを適宜出力させることにより、所定のサンプリング周期ごとの複数の時点における運転状態データが得られ、運転状態データが変化しておらず略一定で推移しているか否かから運転状態が定常状態にあるかを判断することができ、このような定常状態で運転された運転データが抽出できれば、運転状態データに含まれるエンジン回転数とバイパス開度との関係からバイパス開度が適正範囲にあるかを検討することにより、エンジンのバイパス開閉弁が塩で固着していないかなど、吸気系の故障を容易に判断することができる。また、複数時点の運転状態データが得られることから、この間のエンジン回転数とバイパス開度との関係の推移を検討することによって、吸気系の故障であっても、バイパス開閉弁に故障が生じているのか、他の部位に故障が生じているかを推測することが可能になる。又、前記故障検出手段が何らかの故障状態を検出した場合であっても、エンジンを停止することなく、その故障状態に至る直前の運転状態データを残すことができるため、故障原因の究明に寄与することができる。
【００２２】
また、本発明は、駆動軸を介して接続されたプロペラを推進駆動する４サイクルのエンジンと、前記エンジンのエンジン回転数を検出するエンジン回転数センサと、前記エンジンに対して潤滑油を循環させる潤滑油循環経路と、前記潤滑油循環経路における潤滑油圧を検出する潤滑油圧センサと、所定の記録時間にわたって所定のサンプリング周期ごとに複数の時点における前記エンジン回転数と前記潤滑油圧とを運転状態データとして適宜出力可能な状態で記憶する運転状態記憶手段と、前記エンジンの各部位における故障状態を検出する故障検出手段とを備え、前記運転状態記憶手段は、前記所定のサンプリング周期が到来するごとに前記運転状態データを更新しながら、常時、前記所定の記録時間分の前記運転状態データを記憶するとともに、故障状態が検出されたときに前記運転状態データの更新を停止してその故障状態に至る直前の運転状態データを残すことができるように構成されたことを特徴とするものである。
【００２３】
このような船外機では、エンジン回転数が略一定で推移している定常状態においては、エンジン回転数に対する潤滑油圧は、潤滑系が正常であれば所定の適正範囲に収まる。
【００２４】
このような船外機によると、運転状態記憶手段に記憶された運転状態データを適宜出力させることにより、所定のサンプリング周期ごとの複数の時点における運転状態データが得られる。そして、運転状態データが変化しておらず略一定で推移しているか否かから運転状態が定常状態にあるかを判断することができ、このような定常状態で運転された運転データが抽出できれば、運転状態データに含まれるエンジン回転数と潤滑油圧との関係から潤滑油圧が適正範囲にあるかを検討することにより、エンジンの潤滑系に故障が生じているか否かを容易に判断することができる。また、複数時点の運転状態データが得られることから、この間のエンジン回転数と潤滑油圧との関係の推移を検討することによって、潤滑系の故障であっても、潤滑油に水が混入したのか、一時的にエアを噛んだのかなど、具体的な故障原因を推測することが可能になる。又、前記故障検出手段が何らかの故障状態を検出した場合であっても、エンジンを停止することなく、その故障状態に至る直前の運転状態データを残すことができるため、故障原因の究明に寄与することができる。
【００２５】
このような船外機においては、前記所定のサンプリング周期は２分以下、さらに好ましくは１分以下であることが望ましい。
【００２６】
このようにすると、運転状態データが記憶される各サンプリング周期の間において急加減速されていないことを確認することができるため、より確実に定常状態の運転状態データを抽出することができ、これに基づいて上記診断を的確に実施することができる。
【００２７】
また、前記所定の記録時間は１５秒以上であることが望ましい。
【００２８】
このようにすると、少なくとも１５秒の間隔をおいた時点の運転状態データが得られることから、両者を比較することにによって運転状態が定常状態にあるのか緩加減速中にあるのかを識別することができるため、より確実に定常状態の運転状態データを抽出することができ、これに基づいて上記診断を的確に実施することができる。
【００２９】
また、前記運転状態記憶手段は、前記所定のサンプリング周期が到来するごとに前記運転状態データを更新しながら、常時、前記所定の記録時間分の前記運転状態データを記憶するように構成することが望ましい。
【００３０】
このようにすると、常時、最新の運転状態データを得ることができるため、最新の運転状態から上記診断を行うことができる。
【００３１】
また、何らかの原因でエンジンが停止した場合であっても、停止直前の運転状態が得られるため、停止原因の究明に寄与することができる。
【００３２】
また、このように運転状態データを更新しながら記憶する場合、前記所定の記録時間は２分以上であることが望ましい。
【００３３】
通常、船舶は外洋等をクルージング状態で高速航行したのち、港湾内等ではアイドリング状態で所定の停船位置に至り停船する。この港湾内等における航行には通常２分間程度を要する。したがって、上述のように、停船前の２分以上にわたる運転状態データを記憶すれば、船舶が港湾内等に至る前における船外機のエンジンにボートロードが直接作用している高速航行時の運転状態データを得ることができるため、この高速航行時における定常状態の運転状態データに基づいて上記診断をより的確に実施することができる。
【００３４】
なお、前記所定の記録時間は５分以上であることがさらに望ましい。このようにすると、高速航行時における定常状態の運転データが得られる可能性が高まる。
【００３７】
また、このような船外機においては、前記運転状態記憶手段は、前記エンジン回転数が予め設定された第１の所定回転数以上または越えたときに前記運転状態データの更新を開始する一方、前記エンジンの回転数が第２の所定回転数以下または未満になったときに前記運転状態データの更新を停止するように構成されることが望ましい。
【００３８】
このようにすると、船舶が所定の運転状態になったときの運転状態データのみを記録することができ、故障診断を効率的に行うことができる。なお、これら第１の所定回転数および第２の所定回転数は、同じ回転数としても異なる回転数としてもよい。
【００３９】
具体的には、第１、第２の所定回転数を充分に低い値、たとえばアイドリング回転数より低い値に設定すると、故障診断に有効なエンジンが運転されている状態の運転状態データのみを記録することができる。
【００４０】
また、第１、第２の所定回転数をアイドリング回転数を超えるように設定すると、エンジンに航行負荷（ボートロード）が作用した状態における運転状態データのみを記録することができるため、効率的である。
【００４１】
さらに、第１、第２の所定回転数を船舶が滑走状態にあるときに相当するエンジン回転数の下限値近傍に設定すると、船舶が滑走状態にあるときの運転状態データのみを記録することができるため、滑走状態における故障を診断する場合には、特に効率的である。
【００４２】
また、このような船外機においては、使用者等によって操作される記録停止スイッチを備え、前記運転状態記憶手段は、前記記録停止スイッチにおいて記録停止命令の入力を受けた際には、前記運転状態データの更新を停止するように構成することが望ましい。
【００４３】
このようにすると、使用者等が記録停止命令を入力することによって、使用者等が診断を希望する状態における運転状態データを残すことができる。具体的には、滑走時等の定常状態のほか、加減速時等の状態変化時の運転状態データを意図的に選択して残すことができる。
【００４４】
また、前記運転状態記憶手段には、少なくともエンジンの種類を特定可能なエンジン識別情報が適宜出力可能に記憶されていることが望ましい。
【００４５】
このようにすると、船外機の運転状態記憶手段から運転状態データとともにエンジン識別情報を出力することで、エンジン識別情報によってエンジンの種類を特定することができることから、エンジンの種類に応じて異なる運転状態データの適正範囲等を想定して、的確な故障診断を容易に行うことができる。
【００４６】
また、本発明にかかる診断支援システムは、駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記エンジン近傍における冷却水温度を検出する冷却水温度センサと、所定の記録時間にわたって所定のサンプリング周期ごとに複数の時点における前記エンジン回転数と前記冷却水温度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、前記船外機の運転状態記憶手段から前記エンジン識別情報および運転状態データを受信する受信手段と、エンジンの種類別に各エンジンにおいて検出される運転状態データのデータ形式を記憶するデータ形式記憶手段と、受信したエンジン識別情報に該当するエンジンの種類における前記データ形式に基づいて、受信した運転状態データを画面表示する表示手段とを備えたことを特徴とするものである。
又、本発明にかかる診断支援システムは、駆動軸を介して接続されたプロペラを推進駆動するエンジンと、前記エンジンのエンジン回転数を検出するエンジン回転数センサと、前記エンジンによって駆動され、外部から冷却水取入口を介して取り込んだ水を前記エンジンの冷却水として循環させる冷却水ポンプと、前記冷却水ポンプによって循環される冷却水の冷却水圧力を検出する冷却水圧力センサと、所定の記録時間にわたって所定のサンプリング周期ごとに複数の時点における前記エンジン回転数と前記冷却水圧力とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、前記船外機の運転状態記憶手段から前記エンジン識別情報および運転状態データを受信する受信手段と、エンジンの種類別に各エンジンにおいて検出される運転状態データのデータ形式を記憶するデータ形式記憶手段と、受信したエンジン識別情報に該当するエンジンの種類における前記データ形式に基づいて、受信した運転状態データを画面表示する表示手段とを備えたことを特徴とするものである。
また、本発明にかかる診断支援システムは、駆動軸を介して接続されたプロペラを推進駆動するエンジンと、前記エンジンのエンジン回転数を検出するエンジン回転数センサと、前記エンジンの各気筒への吸気通路において該吸気通路を開閉するスロットル弁をバイパスするバイパス通路と、前記バイパス通路を開閉するバイパス開閉弁と、前記バイパス開閉弁のバイパス開度を検出するバイパス開度検出手段と、所定の記録時間にわたって所定のサンプリング周期ごとに複数の時点における前記エンジン回転数と前記バイパス開度とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、前記船外機の運転状態記憶手段から前記エンジン識別情報および運転状態データを受信する受信手段と、エンジンの種類別に各エンジンにおいて検出される運転状態データのデータ形式を記憶するデータ形式記憶手段と、受信したエンジン識別情報に該当するエンジンの種類における前記データ形式に基づいて、受信した運転状態データを画面表示する表示手段とを備えたことを特徴とするものである。
又、本発明にかかる診断支援システムは、駆動軸を介して接続されたプロペラを推進駆動する４サイクルのエンジンと、前記エンジンのエンジン回転数を検出するエンジン回転数センサと、前記エンジンに対して潤滑油を循環させる潤滑油循環経路と、前記潤滑油循環経路における潤滑油圧を検出する潤滑油圧センサと、所定の記録時間にわたって所定のサンプリング周期ごとに複数の時点における前記エンジン回転数と前記潤滑油圧とを運転状態データとして適宜出力可能な状態で記憶する運転状態記憶手段とを備え、前記運転状態記憶手段には、少なくともエンジンの種類を特定可能なエンジン識別情報が適宜出力可能に記憶されている船外機の診断を支援する診断支援システムであって、前記船外機の運転状態記憶手段から前記エンジン識別情報および運転状態データを受信する受信手段と、エンジンの種類別に各エンジンにおいて検出される運転状態データのデータ形式を記憶するデータ形式記憶手段と、受信したエンジン識別情報に該当するエンジンの種類における前記データ形式に基づいて、受信した運転状態データを画面表示する表示手段とを備えたことを特徴とするものである。
【００４７】
船外機は主として搭載するエンジンの種類によって収集・記憶される運転状態データの前記サンプリング周期や記録時間が異なる。
【００４８】
このような船外機に対して、上記診断支援システムによれば、エンジンの種類別に運転データのデータ形式が記憶されており、船外機から受信したエンジン識別情報により、適合するデータ形式に基づいて運転状態データが画面表示されるため、船外機の故障判断を行う判断者はエンジンの種類に応じた適切な表示を参照することができ、これにより容易に故障診断を行うことができる。
【００４９】
また、このような診断支援システムにおいては、エンジンの種類別に前記運転状態データの正常状態基準データを記憶する正常状態基準データ記憶手段を備え、前記表示手段は、受信した運転状態データとともに、受信したエンジン識別情報に該当するエンジンの種類における前記正常状態基準データを画面表示するように構成されることが望ましい。
【００５０】
船外機は主として搭載するエンジンの種類によって運転状態データの正常状態が異なる。このような船外機に対して、上記診断支援システムによれば、エンジンの種類別に運転データの正常状態基準データが記憶されており、船外機から受信した運転状態データとともに、エンジン識別情報に適合する正常状態基準データが画面表示されるため、判断者はこの正常状態基準データを参照して容易に適切な故障診断を行うことができる。
【００５１】
なお、このような船外機の診断支援システムにおいては、受信したエンジン識別情報に該当するエンジンの種類における前記正常状態基準データに基づいて、受信した運転状態データが正常状態を示しているか否かを診断する診断手段をさらに備え、その診断結果も画面表示することが望ましい。
【００５２】
このようにすると、診断支援システムの診断結果を参照して診断者はさらに容易に診断を行うことができる。
【００５３】
また、本発明にかかるプログラム記録媒体は、コンピュータを船外機の診断支援システムとして動作させるべく、コンピュータに対して前記船外機の運転状態記憶手段から前記エンジン識別情報および運転状態データを受信する受信処理と、エンジンの種類別に各エンジンにおいて検出される運転状態データのデータ形式を記憶する記憶処理と、受信したエンジン識別情報に該当するエンジンの種類における前記データ形式に基づいて、受信した運転状態データを画面表示する表示処理とを実行させるためのプログラムを記録したものである。
【００５４】
また、コンピュータに対して、エンジンの種類別に前記運転状態データの正常状態基準データを記憶する正常状態基準データ記憶処理とを実行させる一方、前記表示手段として、受信した運転状態データとともに、受信したエンジン識別情報に該当するエンジンの種類における前記正常状態基準データを画面表示させるためのプログラムを記録したものである。
【００５５】
このようなプログラム記録媒体によれば、コンピュータを上述した船外機の診断支援システムとして好適に動作させることができる。
【００５６】
また、本発明にかかる診断支援システムは、上述した船外機の診断を支援する診断支援システムであって、前記船外機の運転状態記憶手段に記憶された前記エンジン識別情報および運転状態データをネットワーク回線を介して受信する受信手段と、エンジンの種類別に各エンジンにおいて検出される運転状態データのデータ形式を記憶するデータ形式記憶手段と、エンジンの種類別に予め設定された担当者が使用する担当者端末のアドレスを記憶するアドレス記憶手段と、受信したエンジン識別情報に該当するエンジンの種類における前記データ形式に基づいて、受信したエンジン識別情報に該当するエンジンの種類に応じた担当者の担当者端末に対し、受信した運転状態データを転送する転送手段とを備えたことを特徴とするものである。
【００５７】
船外機は搭載されるエンジンの種類によってエンジンの性格が異なるため、故障診断を行うにあたっては、搭載されるエンジンの種類に応じた専門知識を有する担当者が診断を行うことが望ましい。このような担当者としては、船外機を開発した開発者等がエンジンの種々の限界特性等を把握していることからより望ましい。しかしながら船外機等は一旦販売されれば海や湖にあって、従来、故障診断のために適切な担当者が現地に赴くことは少なく、この結果、故障原因の診断等を正確に判断することはできなかった。
【００５８】
このような事情のもと、上記診断支援システムによると、船外機からエンジン識別情報と運転状態データとはネットワーク回線を介して診断支援システムに受信され、エンジン識別情報に該当するエンジンの種類に応じた担当者の担当者端末に対し、そのエンジンの種類に適合するデータ形式に基づいて転送されるため、開発製造元等に置かれた診断支援システムから船外機が遠く離れた世界各地の海や湖等にあっても、容易に診断を受けることができる。また、診断を行う担当者が使用する担当者端末に診断の材料となる運転状態データが転送されるため、担当者が船外機がある現地や診断支援システムの近くにいなくても診断を行うことができるため、担当者の負担が軽減される。さらに、このように軽い負担で診断を行うことができることから、診断するにより適当な船外機を開発した開発者等を担当者としうる可能性が高まる。
【００５９】
また、このような診断支援システムにおいては、エンジンの種類別に前記運転状態データの正常状態基準データを記憶する正常状態基準データ記憶手段を備え、前記転送手段は、受信した運転状態データとともに、受信したエンジン識別情報に該当するエンジンの種類における前記正常状態基準データを転送するように構成されることが望ましい。
【００６０】
このようにすると、診断を行う担当者には診断すべきエンジンの種類における正常状態基準データが転送されるため、診断を行う担当者が複数種類のエンジンを担当している場合であっても、担当者は診断すべきエンジンの種類における正常状態を確実に把握することができ、これにより容易に故障診断を行うことができる。
【００６１】
【発明の実施の形態】
以下、適宜図面を参照しながら本発明の実施形態にかかる船外機および船外機の診断システムについて説明する。
【００６２】
まず、図１および図２を参照しながら、本発明にかかる船外機の全体を説明する。
【００６３】
図１は、本発明にかかる船外機の一実施形態の説明図であり、同図（Ａ）はエンジンの燃料供給系の構成図、同図（Ｂ）は同図（Ａ）のエンジンの縦断面図である。図２は、同エンジンの冷却系の構成図である。
【００６４】
船外機１は、クランク軸１０が縦置き状態で搭載されるエンジン２と、エンジン２の下端面に接続されエンジン２を支持するガイドエキゾースト３と、ガイドエキゾスート３の下端面に接続されるアッパーケース４およびロアケース５とから構成され、その下部にプロペラ６が取り付けられるようになっている。
【００６５】
上記エンジン２は、筒内噴射式Ｖ型６気筒４サイクルエンジンであり、６つの気筒＃１〜＃６は平面視でＶバンクをなすように横置きでかつ縦方向に２列に配設された状態でシリンダボディ７内に形成されている。図１（Ａ）に示す最上段の気筒＃１内には、気筒＃１内に供給される混合気の空燃比を検出する空燃比センサ４６が設けられている。
【００６６】
上記各気筒＃１〜＃６内には、ピストンが摺動自在に嵌合配置され、各ピストンはクランク軸１０に連結されている。このクランク軸１０には、クランク軸の回転によって発電する発電機１３５が設けられている。また、このクランク軸１０には、クランク軸１０の回転角（エンジン回転数）を検出するエンジン回転数センサ４３が設けられている。
【００６７】
また、シリンダボディ７にはシリンダヘッド８が連結固定されており、このシリンダヘッド８には、それぞれカムで開閉動作される吸気バルブ１２、排気バルブ１３および点火プラグ１４が各気筒＃１〜＃６ごとに装着されている。吸気バルブ１２は吸気通路１７に連通し、排気バルブ１３は、排気通路１６に連通している。
【００６８】
各気筒＃１〜＃６の排気通路１６は左バンクおよび右バンクとで集合して、エンジン２を搭載して支持する搭載台部材（ガイドエキゾースト３）を貫通して、その下面側のアッパーケース４内に形成された消音機能を有する膨張室（マフラー）６４に開口している。膨張室６４は、プロペラ６のボス部の排気口に連通しており、膨張室６４に導かれた排気はこのプロペラ６のボス部からから水中に排出されるようになっている。また排気通路１６には排気ガス中の酸素濃度から空燃比を検出する空燃比センサ（Ｏ2センサ）１１２が設けられ、膨張室６４には排ガスの圧力（背圧）を検出する背圧センサ３８が設けられている。
【００６９】
また、吸気通路１９には、エンジン２内に燃料を噴射する燃料噴射弁２０が接続され、燃料噴射弁２０の上流側には吸気量を調節するためのスロットル弁２２が配設されている。また、この吸気通路１９内の圧力（吸気負圧）を検出する吸気負圧センサ１２１、吸気通路１９内の温度を検出する吸気温センサ４４が設けられ、スロットル弁２２には、スロットル開度を検出するスロットル開度センサ４５が設けられている。
【００７０】
また、この吸気通路１９には、スロットル弁２２をバイパスするバイパス通路３３が設けられ、このバイパス通路３３の上流側は吸気ボックス（サイレンサー）に、下流側はスロットル弁２２よりも下流側の吸気通路１９に接続されている。
また、このバイパス通路３３には、このバイパス通路３３を開閉するバイパス開閉弁３５が設けられている。このバイパス開閉弁３５は図示しないステップモータで駆動される。このバイパス通路３３とバイパス開閉弁３５とでＩＳＣ（アイドルスピードコントロール装置）が構成されている。
【００７１】
燃料タンク２３は船体側に設置されており、手動式の第１の低圧燃料ポンプ２５を介して燃料ホース（燃料配管）１３１で船外機１側と接続されている。この燃料タンク２３内の燃料はこの燃料ホース１３１を通って船外機１側に供給され、燃料フィルタ２６にて燃料中に混入した水が分離された後、第２の低圧燃料ポンプ２７に送られる。この燃料フィルタ２６には分離した水の量を検出する水検出センサ５５が設けられている。
【００７２】
この第２の低圧燃料ポンプ２７は、気液分離機能を有する燃料タンクであるベーパーセパレータタンク２９に燃料を送りこむ。ベーパーセパレータタンク２９内には、電動モータにより駆動される燃料予圧ポンプ３０が配設されており、燃料を加圧し配管３１から燃料噴射弁２０に送り込むようになっている。この配管３１には、燃料圧力（燃圧）を検出する燃圧センサ４７が設けられている。また燃料噴射弁２０とベーパーセパレータタンク２９間を繋ぐ戻り配管３７には圧力調整弁３９が設けられている。
【００７３】
オイルタンク５１に貯えられたエンジン潤滑用のオイルは、クランク軸１０の回転により駆動されるオイルポンプ２１により送り配管に汲み上げられ、フィルタ４０を介してクランク軸１０に送り込まれる。また、クランク軸１０を潤滑したオイルは戻り配管を通ってオイルタンク５０に戻る。これらオイルタンク５０，オイルポンプ２１，フィルタ４０、送り配管および戻り配管等は潤滑油循環経路を構成している。この潤滑油系にはフィルタ４０の下流側の送り配管に潤滑油圧を検出する潤滑油圧センサ５０が設けられ、オイルタンク５０には、オイル量を検出するオイルレベルセンサ５６が設けられている。
【００７４】
図２に示すように、アッパーケース４内にはエンジン２により駆動される冷却水ポンプ１８が設けられており、ロアケース５に形成された冷却水取入口５ａから冷却水供給通路１５０に外部の水を冷却水として吸い上げ、矢印付破線のようにエンジン２内のウォータージャケット１５１を循環して各気筒＃１〜＃６を冷却してから冷却水排出通路１５２に至る。そして、この冷却水排出通路１５２から、一部はアッパーケース４内の水壁６３を形成してからアッパーケース４下部から外部に排出される一方、大部分は前記膨張室６４を通ったのちプロペラ６のボス部から排気ガスとともに水中に放出するようになっている。なお水壁６３はアッパーケース４内に形成される排気系の膨張室（マフラー）６４を取り囲み、走行時水面上に位置するアッパーケース４の排気ガスによる過熱を防止するようになっている。
【００７５】
前記冷却水排出通路１５２には所定温度以上で開動作するサーモスタット１５３が設けられる一方、冷却水供給通路１５０と冷却水排出通路１５２とはプレッシャーコントロールバルブ１５４を介して互いに連通している。このプレッシャーコントロールバルブ１５４は冷却水供給通路４３内の圧力が予め設定した所定圧力を上回ったときに開き、冷却水は冷却水供給通路から冷却水排出通路に流れるようになっている。この構成により、エンジン始動時等においてウォータージャケット１５１内の水温が所定温度に達するまでは、前記サーモスタットが閉じて冷却水供給通路１５０内の圧力を高め、新しい冷却水を冷却水供給通路１５０から冷却水排出通路１５２に流し、新しい冷却水がウォータージャケット１５１内に供給されて過冷却となることを防止するようになっている。
【００７６】
また、この冷却水排出通路１５２には、冷却水の温度を検出する冷却水温度センサー４８および冷却水の圧力を検出する冷却水圧力センサー１５５が設けられている。
【００７７】
エンジン制御用の電力を供給するバッテリ１３４は、船体側に設けられており、バッテリーケーブル１３３を介して船外機１側に接続されている。このバッテリ１３４は、船体側でユーザにより種々の電気器具等が接続されて電力が消費されうるものである。
【００７８】
ＥＣＵ（電子制御装置）４２には、エンジン２の運転状態や船外機１の状態を示す各種センサからの検出信号が入力される。
【００７９】
例えば、クランク軸１０の回転角（回転数）を検出するエンジン回転数センサ４３、スロットル弁２２の開度を検出するスロットル開度センサ４５，最上段の気筒＃１内の空燃比を検出する空燃比センサ４６、排ガスの酸素濃度を検出する空燃比センサ（Ｏ2センサ）１１２、排気圧力を検出する背圧センサ３８，吸気通路１９内の吸気負圧を検出する吸気負圧センサ１２１、燃料圧力（燃圧）を検出する燃圧センサ４７、エンジンの冷却水の温度を検出する冷却水温センサ４８、エンジンの冷却水の圧力を検出する冷却水圧力センサ１５５、潤滑油圧を検出する潤滑油圧センサ５０、さらに、燃料フィルタ２６で分離した水の量を検出する水検出センサ５５，オイルタンク５１のオイル量を検出するオイルレベルセンサ５６、吸気通路１９内の温度を検出する吸気温センサ４４，エンジンの姿勢を検出するトリムセンサ２８，パルサーセンサ１１０，ノックセンサ１１１、および外気温度センサ等の検出信号が入力される。
【００８０】
ＥＣＵ４２は、これら各センサの検出信号を制御マップに基づき演算処理し、吸気バルブ１２、排気バルブ１３、点火プラグ１４、燃料ポンプ３０，バイパス開閉弁３５およびオイルポンプ４０に伝送して制御するようになっている。
【００８１】
また、ＥＣＵ４２には前記発電機１３５からの給電ケーブル１３６および船体側のバッテリ１３４につながるバッテリケーブル１３３が接続され、エンジン運転時には発電機１３５が発生した電力を船体側のバッテリ１３４に送電するようになっている。また、ＥＣＵ４２は、前記バッテリ１３４との接続により、バッテリ電圧を検出するバッテリ電圧検出手段として機能するようになっている。
【００８２】
また、ＥＣＵ４２は、バイパス開閉弁３５を駆動制御する際、この制御量を検出することでバイパス開度検出手段として機能するようになっている。
【００８３】
次に、このような船外機における船体、プロペラ、ユーザの使用形態等とのマッチング診断、船外機と船体との艤装（リギング）の診断、さらに故障診断について説明する。
【００８４】
船外機１は、このような各診断に供するための運転状態データを適宜外部の診断支援システムに出力可能になっており、このような機能は主としてＥＣＵ４２が担うようになっている。すなわちＥＣＵ４２は上述したエンジン１の運転制御に並行して診断に供するための運転状態データの記録を行うものである。
【００８５】
そこで、まず、ＥＣＵ４２のハードウェア構成について、図３を参照して説明する。
【００８６】
図３に示すように、ＥＣＵ４２は、ハードウェア的には、ＣＰＵ１４０と、ＣＰＵ１４０内に設けられたＲＡＭ１４１およびＲＯＭ１４２と、タイマー１４３と、ＥＥＰＲＯＭ１４４と、電源回路１４５と、入力インタフェース１４６と、出力インターフェース１４７と、コネクタ１４８とを備えている。
【００８７】
ＣＰＵ１４０は、その内部のＲＡＭ１４１を作業領域としてＲＯＭ１４２等に記録されたプログラムを実行することで、後述する種々の処理の中核をなすものである。なお内部ＲＡＭ１４１のデータは船外機１のメインスイッチがＯＦＦされ、バッテリ１３４からの電力供給が止まれば失われる。タイマー１４３はこの船外機１（エンジン２）が運転を開始してからの累積運転時間をカウントするとともに、後述する種々の処理において用いられる時間をカウントする。ＥＥＰＲＯＭ１４４は不揮発性の書き込み可能なメモリであり、種々の運転状態データやエンジン２の種類を示すエンジン識別情報等が記憶される。
【００８８】
コネクタ１４８は、船外機１の上部または側部から引き出して通信ケーブル等を接続可能となっており、後述する診断支援システムにＥＣＵ４２に記録された運転状態データ等を出力する際や診断支援システムから種々の入力を受ける際に、入力インタフェース１４６および出力インタフェース１４７とともに用いられるものである。また、このコネクタ１４９は船外機１外の診断支援システム等から電力供給を受け、電源回路１４５が電力によってＥＣＵ４２を船体側のバッテリ１３４によらずに動作可能となっている。
【００８９】
また、このＥＣＵ４２には、後述するサンプリングデータ記録処理を停止させる記録停止命令を使用者が入力するための記録停止スイッチ１６０が接続されている。
【００９０】
また、このＥＣＵ４２は、機能的には、所定のサンプリング周期ごとに種々のセンサーの出力値等を運転状態を記録するサンプリングデータ記録機能（運転状態記憶手段）と、エンジンの運転領域区分ごとに累積運転時間を記録する累積運転時間記録機能（運転状態記憶手段）と、種々のセンサーの出力値等からエンジン２の各部位が故障状態に陥っていないかを検出する故障検出機能（故障検出手段）とを備えている。また、このＥＣＵ４２は、後述する診断支援システムによる各種診断に供するため、エンジンの種類を特定可能なエンジン識別情報を適宜出力可能な状態で記憶する機能（運転状態記憶手段）を備えている。これら各機能は、ＣＰＵ等のＥＣＵ４２が備える各ハードウェア要素によって実現されている。
【００９１】
サンプリングデータ記録機能は、所定の記録時間にわたって所定のサンプリング周期ごとに複数の時点におけるエンジン回転数と、スロットル開度、空燃比、排ガスの背圧、吸気の吸気負圧等の運転状態指標値と、バッテリ電圧、燃料圧、冷却水温度、冷却水圧力、バイパス開度および潤滑油圧等とを運転状態データとして記録する機能である。このサンプリングデータ記録機能は、原則として最新の前記記録時間分の運転状態データを所定のサンプリング周期が到来するごとに更新しながら記録するようになっている。
【００９２】
こうして複数時点の運転状態データを得れば、エンジン回転数等が変化していない部分をもって航行状態が定常状態にあることを確認することができ、この定常状態における運転状態データを、船外機、船体およびプロペラ等のマッチングや船外機と船体とのリギングや船外機における故障状態を診断する基礎データとして扱うことができる。
【００９３】
この実施形態においては記録時間は１３分、サンプリング周期は１分としており、１分おきに１３時点での運転状態データを記録する。
【００９４】
記録時間は、定常状態における運転状態を得る可能性を高めるため、また定常状態であることを確認するためには長い方がよい。この記録時間を１５秒以上とすれば、１５秒の間隔をおいた時点での運転状態データが得られるため、定常状態にあるのか緩加減速中にあるのかを識別することができる。また、記録時間を２分以上、さらに好ましくは５分以上とすれば、エンジン運転中に運転状態データを更新し続けても、エンジン停止後（停船後）において、船舶が沖合で滑走状態中の定常状態にある運転状態データを得られる可能性が高く、より望ましい。
【００９５】
サンプリング周期は、運転状態が定常状態にあることを確認するためには短い方がよい。このサンプリング周期を２分以下、さらにこの実施形態のように１分以下とすれば、各サンプリング周期の間において急加減速されていないことを確認することができ、より好ましい。
【００９６】
なお、運転状態指標値とは、定常状態においてエンジン回転数とともにその値を判別することによって、この船外機が取り付けられた船舶の航行負荷（ボートロード）を診断可能なエンジンの運転状態を示すセンサー出力値等である。このような運転状態指標値としては、スロットル開度、空燃比、排ガスの背圧、吸気の吸気負圧等を挙げることができる。
【００９７】
すなわち、スロットル開度、空燃比、背圧または吸気負圧等に対するエンジン回転数をみれば、それぞれ航行負荷（ボートロード）を想定することができることから、これによって船外機、船体およびプロペラ等のマッチングを診断することができる。
【００９８】
たとえば図４は、ある船外機におけるスロットル開度とエンジン回転数との関係を概念的に示している。縦軸のスロットル開度はスロットル開度センサからの電圧による出力値をそのまま示している。この図に示すように定常状態におけるスロットル開度とエンジン回転数の関係は、船外機ごとに性能ポテンシャルを充分に発揮するため、推奨される正常範囲が決まっているものである。
【００９９】
具体的にはスロットルを開ける（スロットル開度を大きくする）とエンジン回転数は上がるものであるが、この上がり方が程度が正常範囲より大きすぎる場合、すなわち同図において正常範囲より右下側にある場合には、航行負荷（ボートロード）が適正値より小さすぎる軽荷状態であると分かる。一方、スロットル開度に対するエンジン回転数の上がり方の程度が正常範囲より小さすぎる場合、すなわち同図において正常範囲より左上側にある場合には、航行負荷（ボートロード）が適正値より大きすぎる重荷状態であると分かる。
【０１００】
軽荷状態の原因としては、船外機（エンジン）に対して船体が小さすぎる、積み荷を含む船体が軽すぎる、プロペラが小さすぎる、あるいはプロペラが摩耗等によって小さくなっているなど、船外機、船体、プロペラさらに使用形態とのマッチング不良が考えられる。
【０１０１】
重荷状態の原因としては、逆に船外機（エンジン）に対して船体が大きすぎる、積み荷を含む船体が重すぎる、プロペラが大きすぎるなど、船外機、船体、プロペラさらに使用形態とのマッチング不良が考えられる。
【０１０２】
なお、図４において横軸のエンジン回転数で４０００ｒｐｍあたりでグラフが急激に立ち上がっているのは、船舶が滑走状態になり、航行負荷（ボートロード）が減少するからである。
【０１０３】
また、図５は、背圧とエンジン回転数との関係を概念的に示している。この図に示すように定常状態における背圧とエンジン回転数との関係も、船外機ごとに性能ポテンシャルを充分に発揮するため、推奨される正常範囲が決まっている。具体的にはエンジン回転数が低いときには低速であるから背圧は正値をとっているが、エンジン回転数が上がって船速が増すと、プロペラのボス部の排気口がプロペラの後流に引っ張られて負圧となる。そしてさらにエンジン回転数が上がれば排気ガス量が増すために再び正値となる。
【０１０４】
このような背圧とエンジン回転数との正常な関係に対し、エンジン回転数に対して背圧が負側（マイナス側）に外れている場合、すなわち同図において正常範囲より下側にある場合には、エンジン回転数に対して船速が上がりすぎていることを示しており、航行負荷（ボートロード）が適正値より小さすぎる軽荷状態であると分かる。一方、背圧とエンジン回転数との正常な関係に対し、エンジン回転数に対して背圧が正側（プラス側）に外れている場合、すなわち同図において正常範囲より上側にある場合には、エンジン回転数に対して船速が十分に上がっていないことを示しており、航行負荷（ボートロード）が適正値より大きすぎる重荷状態であると分かる。これにより、スロットル開度とエンジン回転数との場合と同様にして船外機、船体、プロペラさらに使用形態とのマッチングを診断することができる。
【０１０５】
また、図６は、吸気負圧とエンジン回転数との関係を概念的に示している。この図に示すように定常状態における吸気負圧とエンジン回転数との関係も、船外機ごとに性能ポテンシャルを充分に発揮するため、推奨される正常範囲が決まっている。具体的には、吸気負圧は上述した背圧とエンジンの燃焼部を介して上流側と下流側に位置していることから、上述した背圧と同様にして航行負荷（ボートロード）を判断し、船外機、船体、プロペラさらに使用形態とのマッチングを診断することができる。
【０１０６】
また、定常状態における空燃比とエンジン回転数の関係においても、空燃比は上述した吸気負圧の影響を受けるものであるから、上述した吸気負圧等と同様にして航行負荷（ボートロード）を判断し、船外機、船体、プロペラさらに使用形態とのマッチングを診断することができる。なお、空燃比はエンジンに供給される混合気から燃料と空気との割合を直接検出するセンサや、エンジンからの排ガスにおける酸素量を検出することで間接的に空燃比を検出するセンサ等によって検出されるいずれの値を用いてもよい。また空燃比とエンジン回転数との関係においてマッチングを診断する場合には、船外機のエンジンが空燃比に応じてフィードバック制御されているときにおいて特に有効である。
【０１０７】
また、運転状態指標値以外では、定常状態における燃圧（燃料圧力）とエンジン回転数との関係をみれば、船外機と船体との燃料系におけるリギングの良否を診断することができる。すなわち、燃圧はエンジン回転数によって若干変動するものの、エンジンが定常状態で運転中であれば燃圧は略一定の適正範囲（正常範囲）に収まるものであるから、燃圧がこの適正範囲から外れていれば、この原因が燃料系のリギングにある可能性を疑うことができる。
【０１０８】
たとえば、エンジン回転数が略一定で定常状態であるのに燃圧が正常範囲より低い場合には、エンジンに必要十分な燃料が供給されにくい状態となっていることが推察される。このような具体的な原因としては、燃料ホース１３１の長さが長すぎる、燃料ホース１３１の径が小さすぎる、船体側で燃料タンク２３の位置等が低すぎる、燃料系にユーザが装着したフィルタや燃料経路切替弁等のアクセサリが不適切であるなどにより、燃料を送り込む際の流動抵抗が大きいことが考えられ、このような原因を推察するとともに、不適切な艤装（リギング）状態にあることを診断することができる。
【０１０９】
また、定常状態におけるバッテリ電圧とエンジン回転数との関係をみれば、船外機と船体との電気系におけるリギングの良否を診断することができる。すなわち、船外機１が備える発電機１３５の発電能力はエンジン回転数によって変動し、一般にエンジン回転数が上がれば発電量が増し、エンジン回転数が下がれば発電量が減るものであるが、正常な状態であればエンジン回転数に応じた適正範囲にある。このため、エンジン回転数が略一定の定常状態にあるにもかかわらず、バッテリ電圧が適正範囲を外れていれば、この原因が電気系のリギングにある可能性を疑うことができる。
【０１１０】
たとえば、エンジンが高速運転中で定常状態にあるのにバッテリ電圧が正常範囲より低い場合には、電力が適正量以上に何処かで消費されていることが考えられる。このような具体的な原因としては、船外機側の発電能力に対して、船体側で種々の電気器具等に電気を使いすぎている場合がある。また、エンジンが低速運転中で定常状態にあるのにバッテリ電圧が正常範囲より低い場合には、高速運転時の充電が十分になされていないことが考えられる。このような具体的な原因としては、バッテリの容量が小さすぎる、バッテリが劣化している、あるいは十分に充電できるだけの高速運転があまりなされていない場合などがある。また、エンジンが運転中であるのに、バッテリ単体でのバッテリ電圧が検出される場合には、発電機の異常（故障）や、ケーブルの断線等の故障が推察される。
【０１１１】
このようにして、定常状態におけるバッテリ電圧とエンジン回転数との関係をみれば、船外機と船体との電気系におけるリギングの良否や、電気系の故障、さらにはユーザの使用形態と船外機とのマッチング等を診断することができる。
【０１１２】
また、定常状態における冷却水温度とエンジン回転数との関係をみれば、船外機と船体との冷却系における故障等を診断することができる。すなわち、冷却水温度はエンジンの運転開始直後は低いが、エンジン運転開始からある程度の時間が経過したのちは、エンジン回転数が定常状態にあれば、略一定の適正範囲に収まるものであるから、冷却水温度がこの適正範囲から外れていれば、この原因が冷却系の異常（故障）にある可能性を疑うことができる。
【０１１３】
たとえば、エンジンが中高速運転中で定常状態にあるのに冷却水温度が正常範囲より高い場合には、冷却水を取り込む冷却水取入口５ａのゴミ詰まりや、冷却水ポンプ１８内のインペラが摩耗しているなどの原因で、必要なだけの冷却水が取り込まれていない場合がある。また、エンジンが低速運転中で定常状態にあるのに冷却水温度が正常範囲より低い場合には、サーモスタット１５３が固着したりゴミを噛むなどの原因により、冷却水が必要以上にエンジン２を循環して過冷却になっていることが考えられる。また、エンジン回転数が変動しているにもかかわらず冷却水温度が正常範囲より大きくずれたまま変動しない場合には冷却水温度センサ４８の異常（故障）が考えられる。
【０１１４】
また、定常状態における冷却水圧力とエンジン回転数との関係をみても、船外機と船体との冷却系における故障等を診断することができる。すなわち、冷却水を供給する冷却水ポンプ１８はエンジン２のクランク軸１０によって駆動されるため、冷却水圧力はエンジン回転数によって変動するが、定常状態で正常であれば、冷却水圧力はエンジン回転数に応じた適正範囲にある。図７は、エンジン回転数と冷却水圧との関係を示している。エンジン回転数が略一定の定常状態にあるにもかかわらず、冷却水圧力が適正範囲を外れていれば、冷却系に異常（故障）がある可能性を疑うことができる。
【０１１５】
たとえば、エンジン２が定常状態で運転中にエンジン回転数によらず冷却水圧が正常範囲より高い場合や、エンジンが中高速運転中に冷却水圧が正常範囲より低い場合は、サーモスタット１５３が固着したりゴミを噛むなどの異常（故障）をきたしている場合がある。また、エンジン２が中高速運転中でのみ冷却水圧力が正常範囲より低い場合には、冷却水を取り込む冷却水取入口５ａのゴミ詰まりや、冷却水ポンプ１８内のインペラが摩耗している場合がある。また、エンジン回転数が変動しているにもかかわらず冷却水圧力が正常範囲よりずれたまま変動しない場合には冷却水圧力センサ１５５の異常（故障）が考えられる。
【０１１６】
また、定常状態におけるバイパス開度とエンジン回転数との関係をみれば、船外機の吸気系における故障等を診断することができる。すなわち、バイパス通路３３のバイパス開閉弁３５は、ＥＣＵ４２により、エンジン回転数等に応じて開閉駆動制御されるため、バイパス開度はエンジン回転数によって変動するが、定常状態で正常であれば、バイパス開度はエンジン回転数に応じた適正範囲にある。したがって、エンジン回転数が略一定の定常状態にあるにもかかわらず、バイパス開度が適正範囲を外れていれば、吸気系、特にＩＳＣに異常（故障）がある可能性を疑うことができる。
【０１１７】
たとえば、エンジン２が定常状態で運転中にエンジン回転数によらずバイパス開度が正常範囲からずれている場合や、エンジン回転数が変化した前後の定常状態でバイパス開度が変化しない場合などには、バイパス開閉弁が塩で固着するなどによる故障が考えられる。
【０１１８】
また、定常状態における潤滑油圧とエンジン回転数との関係をみれば、船外機の潤滑系における故障等を診断することができる。すなわち、潤滑油圧はエンジン運転中は、エンジン回転数に応じて変動するするため、エンジン回転数が略一定の定常状態にあるにもかかわらず、潤滑油圧が適正範囲を外れていれば、潤滑系に異常（故障）がある可能性を疑うことができる。
【０１１９】
たとえば、複数のエンジン回転数において、運転状態が定常状態にあるのに潤滑油圧が正常範囲より低い場合には、潤滑油にガソリン等が混入して希釈され、粘度が低下していることが考えられる。また、エンジンが定常状態で運転されているにもかかわらず、潤滑油圧が一時的に正常範囲より低下している場合には、エア噛みを生じたことが考えられる。また、潤滑油圧がエンジン回転数の変動に関係なく一定値を取っている場合には、潤滑油圧センサの異常（故障）が考えられる。
【０１２０】
この実施形態のサンプリングデータ記録機能においては、後述するように、運転状態データとして上記エンジン回転数と、運転状態指標値としてのスロットル開度および空燃比（排ガスの酸素濃度）と、燃圧、バッテリー電圧、冷却水温度、バイパス開度および潤滑油圧を記録するようになっている。
【０１２１】
累積運転時間記録機能は、エンジンの運転時において、エンジン回転数および前記運転状態指標値の組み合わせが、複数に区分した運転領域区分のいずれにあるのかを識別して、各運転領域区分ごとの累積運転時間に加算していくものである。
【０１２２】
複数の運転領域区分は、エンジン回転数について予め複数に区分したエンジン回転領域と、運転状態指標値を予め複数に区分した運転状態指標値域とを組み合わせてなるものである。したがって、各運転領域区分は、エンジン回転数と運転状態指標値とを組み合わせてなるものであるから、それぞれおよそ所定の航行負荷（ボートロード）のもとでの運転状態を示している。
【０１２３】
このような累積運転時間記録機能によると、記録された各運転領域区分後との累積運転時間を適宜出力させることにより、どのような航行負荷（ボートロード）のもとで、どの程度運転されたのかを容易に判断することができ、これにより、各使用者（ユーザ）の使用形態と船外機、船体およびプロペラ等とのマッチングを診断することができる。
【０１２４】
この累積運転状態記録機能においても、運転状態指標値としては、スロットル開度、空燃比、排ガスの背圧、吸気の吸気負圧等を挙げることができるが、この実施形態においては、後述するように、運転状態指標値として、スロットル開度を用いるようになっている。
【０１２５】
故障検出機能は、各種センサからの出力値等が明らかな異常値を示している場合などに、故障状態を検出したことをサンプリングデータ記録機能等に提供するとともに、故障の項目を示す故障コードを生成し、これを不揮発性メモリ（ＥＥＰＲＯＭ１４４）に故障検出時刻（累積運転時間の積算値）とともに故障記録データとして適宜出力可能に記録するものである。
【０１２６】
各種センサの出力値等が明らかな異常値を示している場合とは、バッテリ電圧が０である場合や、冷却水温度が異常に高まりオーバーヒートが起こりうる直前の状態を検出した場合など、通常起こり得ない状態を示す値である場合である。このような異常は、センサの故障のほか、種々の故障が含まれる。
【０１２７】
次に、この船外機におけるサンプリングデータ記録機能によるサンプリングデータ記録処理について、図８に示すフローチャートを参照しながら説明する。
【０１２８】
このサンプリングデータ記録処理は、メインスイッチがＯＮされることによって開始される（ステップＳ１０）。
【０１２９】
そしてまず、エンジン２が運転中であるかが判断される（ステップＳ１２）。
具体的には、エンジン２のアイドリング回転数より小さい所定の回転数（例えば３５０ｒｐｍ）をしきい値として記憶しておき、エンジン回転数センサ４３によって検出されるエンジン回転数が、このしきい値を上回っているか否かによってエンジン２が運転中であるか否かが判断される。
【０１３０】
エンジン２が運転中でなければ（ステップＳ１２でＮＯ）メインスイッチがＯＦＦされたか否かが判断され（ステップＳ１４）、ＯＦＦされれば（ステップＳ１４でＹＥＳ）、サンプリングデータ記録処理を終了する。ＯＮされたままであれば（ステップＳ１４でＮＯ）、ステップＳ１２に戻りエンジン２が運転されるまで繰り返す。
【０１３１】
エンジン２が運転中であれば（ステップＳ１２でＹＥＳ）、運転状態データがＥＣＵ１４０のＲＡＭ１４１に記録される（ステップＳ１６）。上述したように、この実施形態では、この運転状態データとして、エンジン回転数、スロットル開度、空燃比、バッテリ電圧、燃料圧、冷却水温度、バイパス開度および潤滑油圧が含まれる。
【０１３２】
つづいてエンジン２が停止されずに運転を継続しているかが上記ステップＳ１２と同様にして判断され（ステップＳ１８）。エンジン２が運転中（運転を継続している状態）であれば（ステップＳ１８でＹＥＳ）、故障検出を示す故障コードが表れているか否かが判断され（ステップＳ２０）、故障が検出されていなければ（ステップＳ２０でＮＯ）、記録停止入力の有無が判断され（ステップＳ２２）、記録停止入力がなければ（ステップＳ２２でＮＯ）、前回の運転状態データの記録から所定のサンプリング周期（この実施形態では１分）が経過したか否かが判断される（ステップＳ２４）。所定のサンプリング周期が経過していなければ（ステップＳ２４でＮＯ）、所定のサンプリング周期が経過するまでステップＳ１８〜Ｓ２４を繰り返す。
【０１３３】
所定のサンプリング周期が経過していれば（ステップＳ２４でＹＥＳ）、ステップＳ１６に戻って、そのときの運転状態データがＲＡＭ１４１に記録される。この実施形態では上述したように所定の記録時間として１３分間が設定され、１３分間分の１分おき１３セットの運転状態データが記録されるように構成されている。このため、すでに１３分間（１３セット）の運転状態データ記録されていれば、１３分前の古いデータは破棄する代わりに現在の運転状態データを記憶することで運転状態データを更新し、常時、最新の１３分間の運転データが記録されるようになっている。
【０１３４】
こうして、最新の１３分間の運転状態データを更新しながら記憶している途中で、エンジンが運転停止する（ステップＳ１８でＮＯ）、故障が検出される（ステップＳ２０でＹＥＳ）、または記録停止入力がなされる（ステップＳ２２でＹＥＳ）のいずれかに該当すれば、ＲＡＭ１４１に記録されている運転状態データをＥＥＰＲＯＭ１４４に転送して記憶させ（ステップＳ２６）、サンプリングデータ記録処理を終了する。こうして運転状態データをＥＥＰＲＯＭ１４４に記憶させておくことにより、メインスイッチがＯＦＦにされ、ＲＡＭ１４１への電力供給が絶たれることでＲＡＭ１４１のデータが消失しても、不揮発性のＥＥＰＲＯＭ１４４から運転状態データを出力することができるようになっている。
【０１３５】
そして、このようにエンジン２の運転が停止されれば運転状態データの更新を終了することにより、停船前の最新の運転状態データを残すことができる。
【０１３６】
また、故障が検出されたときに運転状態データの更新を終了することにより、故障が生じる直前の運転状態データを残すことができる。
【０１３７】
また、記録停止命令がなされたときに運転状態データの更新を終了することにより、ユーザが希望する時点の直前の運転状態データを残すことができる。
【０１３８】
こうしてＥＥＰＲＯＭ１４４に記録された運転状態データは、後述するように適宜診断システムに出力され、船外機、船体、プロペラ、さらにはユーザの使用形態とのマッチング診断や、リギング（艤装）診断、さらに故障原因の診断等に供される。
【０１３９】
図９は、このサンプリングデータ記録処理によって記録された運転状態データの一例である。
【０１４０】
この図において、各列は、左から第１列はエンジン回転数（Engine speed）［ｒｐｍ］、第２列は燃料圧力（Fuel pressure）［ＭＰａ］、第３列はバッテリー電圧（Battery）［Ｖ］、第４列は空燃比（Oxygen sensor）［Ｖ］、第５列はスロットル開度（TPS voltage）［Ｖ］、第６列は冷却水温（Water）［度］、第７列は潤滑油圧（Oil pressure）［ｋＰａ］、第８列はバイパス開度（ISC  θ）［度］をそれぞれ示している。また各行は、第２行目から最下行に向かって順に新しい運転状態データを示しており、第２行目が１３分前、第３行目が１２分前、…最下行が１分前（最新）のデータを示している。
【０１４１】
この例においては、記録されている運転状態データの前半（略上半分）はエンジンが高速回転状態にあり、たとえば沖合等を走行していた状態であろうことを示し、後半（略下半分）は、エンジンが低速回転でほぼアイドリング状態にあり、たとえば港湾等に帰ってきて低速で船着き場に走行していた状態であろうことを示している。
【０１４２】
このうち、エンジン回転数が４６００〜４８００ｒｐｍの３分間は、エンジン回転数が略一定であるからほぼ定常状態を示していると考えられる。したがって、このときのエンジン回転数に対し、燃圧、バッテリー電圧、空燃比、スロットル開度、冷却水温度、潤滑油圧およびバイパス開度をみれば、上述した各項目ごとの種々の診断を行うことができる。また、これら各項目の相関関係をみれば、さらに詳細に船外機を含む船舶がどのような状態にあったのかを判断することも可能である。
【０１４３】
とくに、運転状態データの各項目をグラフ表示すれば、より容易に船外機の状態等を把握することが可能になる。
【０１４４】
図１０は、このサンプリングデータ記録処理によって記録されたエンジン回転数とスロットル開度との関係の時間変化を示すグラフの一例である。
【０１４５】
この図に示すように、グラフ化すれば、定常状態にある部分を容易に把握することができるとともに、スロットル開度に対するエンジン回転数の関係を視覚的に容易に把握することができる。
【０１４６】
この図に示す例では、定常状態にある部分において、エンジン回転数に対するスロットル開度が適正範囲にあることから、船外機、船体およびプロペラは適切なマッチングがなされていると診断できる。
【０１４７】
図１１は、サンプリングデータ記録処理によって記録されたエンジン回転数と、バッテリ電圧および燃料圧力との関係を示すグラフの一例である。
【０１４８】
この図に示すように、エンジン回転数が定常状態をとっている場合において種々のエンジン回転数に対する各項目の値を、時間軸をとらずにプロットしたグラフを作成すれば、各エンジン回転数において、各項目の値がどのように推移するかが容易に把握できる。
【０１４９】
この図に示す例では、エンジン回転数が低速から高速までバッテリ電圧がほぼ正常な範囲の一定値にあることから電気系について適正なリギングがなされていると診断でき、またエンジン回転数に追随して燃圧がやや高まりながらもほぼ正常な範囲に収まっていることから燃料系について適正なリギングがなされていると診断できる。
【０１５０】
図１２は、このサンプリングデータ記録処理によって記録されたスロットル開度に対するエンジン回転数および冷却水温度の関係を示すグラフの一例である。
【０１５１】
この図に示すように定常状態におけるエンジン回転数とスロットル開度との関係を求めれば、どの程度のスロットル開度で船舶が非滑走状態から滑走状態に至ったかを容易に把握することができ、これにより簡単に航行負荷（ボートロード）を把握し、船外機と船体とのマッチングを簡便に判断することができる。
【０１５２】
また、このような滑走状態と非滑走状態とを識別した上で、冷却水温度をみれば、より船舶の運転状態を詳細に検討することが可能となる。
【０１５３】
なお、上記においては、エンジン回転数を３５０ｒｐｍというごく低い回転数で判別することによりエンジン２が運転中であるかどうかを判断し、エンジン運転中は原則としてサンプリングデータ記録処理を行うようにしたが、例えばアイドリング回転数より高い回転数で判別することとすれば、エンジン２がアイドリング回転以上（たとえば１０００ｒｐｍ）で運転中の運転状態データのみを記録することも可能である。また、滑走状態においてとりうるエンジン回転数の下限値（たとえば３０００ｒｐｍ）で判別することとすれば、船舶が滑走状態にあるときの運転状態データのみを記録することも可能である。
【０１５４】
図１３は、このような場合のサンプリングデータ記録処理のフローチャートである。この処理手順は、上述した図８の場合と、ステップＳ１２およびステップＳ１８を除き同一であり、これらステップＳ１２，ステップＳ１８もエンジン回転数と比較する所定回転数が異なるだけである。
【０１５５】
このようにエンジン回転数と比較する回転数を適宜設定することにより、所定の運転状態にある場合の運転データのみを容易に記録することができる。
【０１５６】
次に、この船外機における累積運転時間記録機能による累積運転時間記録処理について、図１４に示すフローチャートを参照しながら説明する。
【０１５７】
この累積運転時間記録処理は、メインスイッチがＯＮされることによって開始される（ステップＳ５０）。
【０１５８】
そしてまず、エンジン２が運転中であるかが判断される（ステップＳ５２）。具体的には、エンジン２のアイドリング回転数より小さい所定の回転数（例えば３５０ｒｐｍ）をしきい値として記憶しておき、エンジン回転数センサ４３によって検出されるエンジン回転数が、このしきい値を上回っているか否かによってエンジン２が運転中であるか否かが判断される。
【０１５９】
エンジン２が運転中でなければ（ステップＳ５２でＮＯ）メインスイッチがＯＦＦされたか否かが判断され（ステップＳ５４）、ＯＦＦされれば（ステップＳ５４でＹＥＳ）、累積運転時間記録処理を終了する。ＯＮされたままであれば（ステップＳ５４でＮＯ）、ステップＳ１２に戻りエンジン２が運転されるまで繰り返す。
【０１６０】
エンジン２が運転中であれば（ステップＳ５２でＹＥＳ）、現在の運転領域区分が識別される（ステップＳ５６）。この実施形態においては、上述したように、運転状態指標値としてスロットル開度を用いるため、この運転領域区分は、複数に区分したエンジン回転領域と複数に区分したスロットル開度領域とを組み合わせてなるものである。したがって、現在の運転領域区分は、現在のエンジン回転数とスロットル開度の組み合わせが、２次元的に複数に区分された運転領域区分のいずれの領域に該当するかによって識別される。
【０１６１】
こうして現在の運転領域区分が識別されれば、これがＲＡＭ１４１に一時記憶される（ステップＳ５８）。
【０１６２】
つづいてエンジン２が停止されずに運転を継続しているかが上記ステップＳ５２と同様にして判断され（ステップＳ６０）、エンジン２が運転中（運転を継続している状態）であれば（ステップＳ６０でＹＥＳ）、さらに上記ステップＳ５６と同様にして現在の運転領域区分が識別され（ステップＳ６２）、現在の運転領域区分がＲＡＭ１４１に一時記憶されている運転領域区分から変わったか否かが判断される（ステップＳ６４）。
【０１６３】
運転領域区分が変わっていなければ（ステップＳ６４でＮＯ）、ステップＳ５８における運転領域区分のＲＡＭ１４１への一時記憶から所定時間（例えば３０秒）が経過したか否かが判断される（ステップＳ６６）。経過していなければ（ステップＳ６６でＮＯ）、所定時間を経過するまでステップＳ６０〜Ｓ６６を繰り返す。
【０１６４】
所定時間を経過していれば（ステップＳ６６でＹＥＳ）、ＥＥＰＲＯＭ１４４上に構成されている運転領域区分後との累積運転時間記録（運転状態データの一部）において、所定時間（３０秒間）にわたって変化しなかった現在の運転領域区分に、この所定時間を累積運転時間として加える（ステップＳ６８）。そして再びステップＳ５８に戻って、上記処理を繰り返す。
【０１６５】
一方、所定時間を経過するまでに運転領域区分が変わった場合には（ステップＳ６４でＹＥＳ）、ステップＳ５８に戻って、再び現在の運転領域区分をＲＡＭ１４１に一時記憶し直してから上記処理を繰り返す。
【０１６６】
なお、所定時間を経過するまでにエンジン２の運転が停止されれば（ステップＳ６０でＮＯ）、この累積運転時間記録処理を終了する。
【０１６７】
このように、所定時間にわたって運転領域区分が変化しなかった場合に限り、この運転時間をＥＥＰＲＯＭ１４４上の累積運転時間に加えるようにしているため、加速時や減速時等の運転状態の過渡期を除いた定常状態における運転時間のみで各運転領域区分の累積運転時間を構成することができるようになっている。これにより、過渡期に生じやすい不適正な航行負荷（ボートロード）を示すデータを排除することができる。
【０１６８】
こうしてＥＥＰＲＯＭ１４４に記録された運転状態データは、後述するように適宜診断システムに出力され、船外機、船体、プロペラ、さらにはユーザの使用形態とのマッチング診断や、リギング（艤装）診断、さらに故障原因の診断等に供される。
【０１６９】
なお、上記累積運転時間記録処理においては、所定時間が経過するごとにＥＥＰＲＯＭ１４４上の累積運転時間記録を書き換えたが、エンジン運転中はＲＡＭ１４１上に記録しておき、エンジン停止後においてまとめてＥＥＰＲＯＭ１４４を書き換えるようにしてもよい。この場合、予めメインスイッチがＯＮされた際等において、累積運転時間記録を含むＥＥＰＲＯＭ１４４上の運転状態データをＲＡＭ１４１上に転送しておき、エンジン停止後においてＲＡＭ１４１上の運転状態データをＥＥＰＲＯＭ１４４に転送して書き換えるようにしてもよい。
【０１７０】
図１５は、この累積運転時間記録処理によって記録された運転状態データの一例である。
【０１７１】
この例において、各列はエンジン回転数を５００ｒｐｍごとに複数に区分けした各エンジン回転数領域を示し、各行は運転状態指標値としてスロットル開度をエンジン回転角センサ４３の出力値で０．５Ｖ、対応する角度で１０°ごとに複数に区分けした各運転状態指標領域を示している。
【０１７２】
この図１５においては、上述した図４と同様に、エンジン回転数とスロットル開度との間には適正な航行負荷（ボートロード）であるマッチングが適正な正常範囲（推奨使用領域）があり、この領域から外れていれば、不適正な航行負荷（ボートロード）で運転されたものと診断しうる。
【０１７３】
この例においては、スロットル開度が７０〜８０°度でエンジン回転数が３５００〜４０００ｒｐｍの定常状態にあった累積運転時間が２．１時間も記録されており、荷重荷での運転がなされたことを示す。また、スロットル開度が５０〜６０°でエンジン回転数が５５００〜６０００ｒｐｍの定常状態にあった累積運転時間が２．９時間も記録されており、過軽荷での運転がなされたことを示す。
【０１７４】
このように、各運転領域区分ごとの累積運転時間を示す運転状態データを記録すれば、船外機、船舶、プロペラのマッチングが適正あるいは不適正な状態でどの程度の時間運転がなされたのかを判断することができる。また、これにより各ユーザの使用形態を推察して、各ユーザの使用形態とのマッチングも診断することができる。さらに、記録された運転領域区分がすべて正常範囲（推奨使用領域）にあっても各ユーザがどのような運転領域区分で使用しているかが分かり、高速運転に適したエンジンや低速運転に適したエンジンなど、エンジンの種類ごとの特性に応じた使用がなされているかも判断することができる。
【０１７５】
次に、上記のような診断のための運転状態データを記録可能な船外機に対して、記録された運転状態データに基づき船外機の診断を行う診断支援システムについて説明する。
【０１７６】
図１６は、船外機の診断支援システム全体の構成を説明するための構成説明図である。
【０１７７】
この図に示すように、この診断支援システムは、それぞれ独立して使用可能な２段階の診断支援システムから構成されている。すなわち、船外機１に直接接続して診断を行うパーソナルコンピュータ等からなる第１段目の診断支援システム２００と、この第１段目の診断支援システム２００にネットワーク回線３００を介して接続されて診断を行うサーバコンピュータ等からなる第２段目の診断支援システム４００である。
【０１７８】
まず第１段目の診断支援システム２００について説明する。
【０１７９】
第１段目の診断支援システム２００は、船外機１がある海や湖等の現場に持ち込んで行う診断（簡易診断）を支援するものであり、現場近くで船舶および船外機のメンテナンス等を行うサービスショップ等が使用する。この診断支援システム２００は、ハード的には現場に持ち込みやすいように形態可能なノート型パーソナルコンピュータ等から構成され、機能的には、受信手段２０１と、データ形式記憶手段２０２と、正常状態基準データ記憶手段２０３と、表示手段２０４等を備えている。
【０１８０】
受信手段２０１は、船外機１から通信ケーブル２３０を介して船外機１に記録された運転状態データおよびエンジン識別情報等を受信するものである。この受信手段２０１は、船外機１（ＥＣＵ４２）に対して運転状態データ等の出力指示等を行う送信機能も備えている。また通信ケーブル２３０は、船外機１のＥＣＵ４２が備えるコネクタ１４８に接続され、船外機１のエンジン２が停止状態にあってもＥＣＵ４２が動作可能なように電力供給を行うことができるように構成されている。
【０１８１】
データ形式記憶手段２０２は、複数種類のエンジンについて、種類別に各エンジンにおいて検出される運転状態データのデータ形式を記憶するものである。具体的には、たとえば、エンジンの種類によって異なりうる運転状態指標値（たとえばスロットル開度）や、設けられたセンサによる運転状態データの項目数や、各運転状態データの出力値の範囲、さらにサンプリングデータ記録処理におけるサンプリング周期や記録時間、累積運転時間記録処理における運転領域区分や運転状態指標の種類等に応じて、適切なデータ形式（表示フォーマット）が記憶される。
【０１８２】
正常状態基準データ記憶手段２０３は、エンジンの種類によって異なる運転状態データの正常値の範囲等を正常状態基準データとして記憶するものである。
【０１８３】
表示手段２０４は、受信したエンジン識別情報に該当するエンジンの種類を特定し、特定したエンジン種類に応じた適切な上記データ形式を用いて、受信した運転状態データをモニタ等に表示するとともに、特定したエンジン種類に応じた正常状態基準データをモニタ等に表示するものである。
【０１８４】
このような各手段２０１〜２０４をパーソナルコンピュータ上に構成するためのプログラムはＣＤ−ＲＯＭ等の記録媒体２５０に記録されており、適宜パーソナルコンピュータ内にインストールして、診断支援システム２００が構成されるようになっている。なお、エンジン種類によって異なるデータ形式や正常状態基準データ等は全てをインストールすることなく、必要に応じて必要なエンジン種類のデータを記録媒体２５０から参照するようにしてもよい。
【０１８５】
このような第１段目の診断支援システム２００による診断支援の手順においては、まず、船外機１の上面等のカバーを開けてコネクタ１４８が取り出され、ここに診断支援システム（パーソナルコンピュータ）２００に接続された通信ケーブル２３０が接続される。
【０１８６】
そして、診断支援システム２００が立ち上げられ、モニタ（表示手段）２０５に表示された所定のメニュー画面等において、診断者が船外機１からの運転状態データ等のダウンロードを指示すれば、診断支援システム２００から船外機１のＥＣＵ４２に運転状態データの送信要求がなされ、診断支援システム２００はＥＣＵ４２から記録された運転状態データ、故障記録データとともにエンジン識別情報を受信する。
【０１８７】
このエンジン識別情報により診断支援システム２００は当該船外機１に搭載されているエンジン２の種類を識別し、さらに診断者から各種の項目についての画面表示が指示されると、識別したエンジン種類に応じたデータ表示形式で受信した運転状態データを画面表示する。この例としては、サンプリングデータ記録処理において記録された運転状態データは、上述した図９〜図１２、累積運転時間記録処理において記録された運転状態データとしては上述した図１５を挙げることができる。
【０１８８】
また、この診断支援システム２００は、運転状態データとともに、識別したエンジン種類に応じた正常状態基準データを画面表示する。この例としては、上述した図４〜図７を挙げることができる。
【０１８９】
この診断支援システム２００によれば、こうして船外機１が記録した運転状態データを船外機が備えるエンジンの種類に応じた適切なデータ形式で表示することで、診断者は容易に診断を行うことができる。
【０１９０】
特に、エンジンの種類に応じた正常状態基準データを画面表示するため、診断者は、この正常状態基準データを参照して記録された運転状態データを容易に診断することができる。
【０１９１】
また、この診断支援システム２００では、診断者からの指示により、船外機１のＥＣＵ４２が記録している故障記録データを画面表示させたり、現在の各種センサの出力値やエンジンの状態をモニターする機能も備えている。
【０１９２】
図１７は、故障記録データ（Diagnosis Record）と、現在の各種センサの出力値（Diagnosis）の画面出力例である。この例においては、現在各種センサは全て正常に動作しており、また故障記録はないことが分かる。
【０１９３】
図１８は、現在のエンジンの状態（Engine Monitor）の画面出力例である。この例においては、エンジン２は停止していることのほか、各種のエンジン２の状態を示すセンサの出力値等がリアルタイムに出力されている。
【０１９４】
また、この診断支援システム２００では、このようなエンジン２の状態を出力したまま、ＥＣＵ４２から点火プラグ１４にテスト用の制御信号を送らせ、画面表示やエンジン傍で点火音を確認することにより点火が正常に行われているかをテストしたり、エンジン２の１つの気筒を休止した状態でエンジンを運転させ、そのときのエンジン回転数の変化等を画面表示で確認することにより、休止した気筒が正常に動作しているか否かをテストする機能等を備えている。
【０１９５】
なお、このような第１段目の診断支援システム２００による診断は、海や湖等の現場近くで行われるものであるから、診断者が必ずしも診断の対象とする船外機等について十分な知識がない場合があり、このため十分な診断が行えず、故障や不具合の牽引が解明できない場合もあり得る。そこで、このような場合には、第２段目の診断支援システム４００によってさらなる診断が行われる。
【０１９６】
次に、第２段目の診断支援システム４００について説明する。
【０１９７】
第２段目の診断支援システム４００は、船外機１がある海や湖等の現場から離れた場所等において行われる診断（詳細診断）を支援するものである。この第２段目の診断支援システム４００は、上述したように現場では解明できなかった診断を詳細に行うものであるから、船外機１についてより高度な知識と経験を有する船外機１を開発、製造した製造メーカ等が使用する。
【０１９８】
この診断支援システム４００は、ハード的にはインターネット等のネットワーク回線３００に接続された大型コンピュータからなるサーバコンピュータ等によって構成され、機能的には、受信手段４０１と、データ形式記憶手段４０２と、アドレス記憶手段４０３と、正常状態基準データ記憶手段４０４と、転送手段４０５等を備えている。
【０１９９】
また、この診断支援システム４００は、各種類の船外機を開発、設計した各船外機の特性等について熟知している専門家に、具体的な診断を行わせるものであり、このため、このような専門家を担当者として各担当者が使用する担当者端末４１０，４２０…と通信回線等で接続されている。
【０２００】
受信手段４０１は、海や湖等の現場にある上述した第１段目の診断支援システム２００から、ネットワーク回線３００を介して船外機１が記録した運転状態データおよびエンジン識別情報等を受信するものである。
【０２０１】
データ形式記憶手段４０２は、複数種類のエンジンについて、種類別に各エンジンにおいて検出される運転状態データのデータ形式を記憶するものである。具体的には、上述したデータ形式記憶手段２０２と同様に構成される。
【０２０２】
アドレス記憶手段４０３は、上述したように、各種類の船外機を開発、設計した専門家（担当者）が使用する担当者端末４１０，４２０…にデータ等を転送するために必要なアドレスを、エンジンの種類別に記憶するものである。なお、このアドレスとしては、各担当者端末４１０，４２０…を特定し、データ転送を行いうる情報であれば、任意の公知の情報を採用することができる。
【０２０３】
正常状態基準データ記憶手段４０４は、エンジンの種類によって異なる運転状態データの正常値の範囲等を正常状態基準データとして記憶するものである。この正常状態基準データ記憶手段４０４は、船外機を開発した製造メーカ等において用いられるものであり、船外機１について高度な診断を行うため、上述したサービスショップ等が使用する第１段目の診断支援システム２００における正常状態基準データよりも、詳細なものであることが望ましい。
【０２０４】
転送手段４０５は、受信したエンジン識別情報に該当するエンジンの種類に応じた担当者（専門家）の担当者端末４１０，４２０…のアドレスを用いて、該担当者端末４１０，４２０…に対し、このエンジンの種類に応じた適切な上記データ形式を用いて受信した運転状態データを転送するとともに、このエンジンの種類に応じた前記正常状態基準データを転送するものである。
【０２０５】
このような第２段目の診断支援システム４００においては、まず第１段目の診断支援システム２００から運転状態データ、故障記録データとともにエンジン識別情報を受信する。診断支援システム４００は、このエンジン識別情報によりエンジン２の種類を識別し、識別されたエンジン種類の正常状態データとともに、識別したエンジン種類に応じたデータ表示形式で受信した運転状態データを識別されたエンジン種類の担当者の担当者端末４１０，４２０…に対して転送する。
【０２０６】
このようにすると、診断を行う担当者には診断すべきエンジンの種類における正常状態基準データが転送されるため、診断を行う担当者が複数種類のエンジンを担当している場合であっても、担当者は診断すべきエンジンの種類における正常状態を確実に把握することができ、これにより容易にマッチング、リギング及び故障等の診断を行うことができる。
【０２０７】
こうして、担当者によって船外機のマッチング、リギング、故障原因等の診断が行われれば、この診断結果は、電話、ＦＡＸ、電子メール等、種々の情報送信手段を介して現場に送られる。
【０２０８】
なお、この診断結果をこの第２段目の診断支援システム４００を介して第１段目の診断支援システム２００に返送するため、転送手段は前記転送手段４０５は、担当者端末４１０，４２０…から送られる診断結果を受信する機能を有し、また前記受信手段４０１は、この診断結果をネットワーク回線３００を介して、第１段目の診断支援システム２００に送信する機能を有するように構成することが望ましい。
【０２０９】
以上、本発明を実施形態に即して説明したが、本発明にかかる船外機および船外機の診断支援システムは、上記実施形態に限定されるものではなく、以下のように構成してもよい。
【０２１０】
（１）上記実施形態においては、第１段目の診断支援システム２００を停船中の船舶の船外機に接続して診断を行うようにしたが、第１段目の診断支援システムを船舶上に設置し、航行中に診断を行ってもよい。
【０２１１】
（２）上記実施形態においては、船外機１に蓄えられた運転状態データを第１段目の診断支援システム（パーソナルコンピュータ）２００に送り、ここからネットワーク回線３００を介して第２段目の診断支援システム４００に送るようにしたが、船外機１にデータ送信機能を有する携帯電話等を接続し、この携帯電話等からネットワーク回線３００を介して直接に第２段目の診断支援システム４００に運転状態データ等を送信するようにしてもよい。
【０２１２】
（３）上記実施形態においては、運転状態データやエンジン識別情報は、ＥＥＰＲＯＭ１４４に記憶させたが、不揮発性の書き込み可能なメモリであればＥＥＰＲＯＭに限らず種々の任意のメモリを用いることができる。
【０２１３】
（４）上記実施形態においては、サンプリング周期を１分とし、記録時間を１３分として１分ごとに１３個の運転状態データを記録するようにしたが、サンプリング周期や記録時間は船外機の種類や目的等に応じて適宜設定すればよい。たとえば、サンプリング周期を１秒としてもよい。このようにすると、細かい運転状態の変化を捉えることができることからより確実に定常状態を見極めることができる。また、メモリ容量が許せば、記録時間を８時間程度に設定することが望ましい。このようにすると、小型船舶の一般的な航行時間の全体をカバーすることができることから、航行開始から停船までのすべての状態を把握し、この中からより確実に定常状態を抽出することができる。
【０２１４】
（５）上記実施形態においては、運転状態データとして記録する値は、種々のセンサからの出力される電圧値等をそのまま用いたが、適宜ユーザ等が理解しやすい値に変換して記録するようにしてもよい。
【０２１５】
【発明の効果】
以上のように、本発明にかかる船外機によれば、所定のサンプリング周期ごとの複数の時点における運転状態データを出力可能に記憶するため、運転状態データが変化しておらず略一定で推移しているか否かから運転状態が定常状態にあるかを判断することができる。
【０２１６】
そして、運転状態データとしてエンジン回転数と冷却水温度または冷却水圧力とを記録する場合に定常状態で運転された運転データが抽出できれば、エンジン回転数と冷却水温度または冷却水圧力との関係から冷却水温度または冷却水圧力が適正範囲にあるかを検討することにより、船外機の冷却系に故障が生じていないかを容易に診断することができる。
【０２１７】
また、運転状態データとしてエンジン回転数とバイパス開度とを記録する場合に定常状態で運転された運転データが抽出できれば、エンジン回転数とバイパス開度との関係からバイパス開度が適正範囲にあるかを検討することにより、船外機の吸気系に故障が生じていないかを容易に診断することができる。
【０２１８】
また、運転状態データとしてエンジン回転数と潤滑油圧とを記録する場合に定常状態で運転された運転データが抽出できれば、エンジン回転数と潤滑油圧との関係から潤滑油圧が適正範囲にあるかを検討することにより、船外機の潤滑油系に故障が生じていないかを容易に診断することができる。又、前記故障検出手段が何らかの故障状態を検出した場合であっても、エンジンを停止することなく、その故障状態に至る直前の運転状態データを残すことができるため、故障原因の究明に寄与することができる。
【０２１９】
また、本発明にかかる船外機の診断支援システムによれば、船外機から運転状態データとともにエンジン識別情報を受信し、受信したエンジン識別情報により、適合するデータ形式に基づいて運転状態データを診断者に提示するため、判断者は船外機と船体とのリギングの診断を容易に行うことができる。
【０２２０】
また、本発明にかかるコンピュータを船外機の診断支援システムとし動作させるプログラムを記録した記録媒体によれば、コンピュータを上述した船外機の診断支援システムとして好適に実現することができる。
【図面の簡単な説明】
【図１】本発明にかかる船外機の一実施形態を示す全体構成説明図であり、（Ａ）はエンジンの燃料供給系の構成図、（Ｂ）は（Ａ）のエンジンの縦断面図、（Ｃ）はこの船外機の側面図である。
【図２】エンジンの冷却系の構成説明図である。
【図３】ＥＣＵのハードウェア構成図である。
【図４】エンジン回転数とスロットル開度との関係を示す説明図である。
【図５】エンジン回転数と背圧との関係を示す説明図である。
【図６】エンジン回転数と吸気負圧との関係を示す説明図である。
【図７】エンジン回転数と冷却水圧との関係を示す説明図である。
【図８】サンプリングデータ記録処理のフローチャートである。
【図９】サンプリングデータ記録処理によって得られる運転状態データの一例である。
【図１０】サンプリングデータ記録処理によって得られるエンジン回転数とスロットル開度の変化の一例を示すグラフである。
【図１１】サンプリングデータ記録処理によって記録されたエンジン回転数と、バッテリ電圧および燃料圧力との関係を示すグラフの一例である。
【図１２】サンプリングデータ記録処理によって記録されたエンジン回転数と、スロットル開度および冷却水温との関係を示すグラフの一例である。
【図１３】サンプリングデータ記録処理の他の例のフローチャートである。
【図１４】累積運転時間記録処理のフローチャートである。
【図１５】累積運転時間記録処理よって得られる運転状態データの一例である。
【図１６】本発明にかかる船外機の診断支援システムの全体構成図である。
【図１７】故障記録データと、現在の各種センサの出力値の画面出力例である。
【図１８】現在のエンジンの状態の画面出力例である。
【符号の説明】
１  船外機
２  エンジン
６  プロペラ
２３  燃料タンク
３３  バイパス通路
３５  バイパス開閉弁
４２  ＥＣＵ（エンジンコントロールユニット、バイパス開度検出手段）
４３  エンジン回転数センサ
４８  冷却水温度センサ
５０  潤滑油圧センサ
１３１  燃料ホース
１３３  バッテリケーブル
１３４  バッテリ
１３５  発電機
１４４  ＥＥＰＲＯＭ
１４８  コネクタ
１４９  通信ケーブル
１５５  冷却水圧力センサ
１６０  記録停止スイッチ
２００  第１段目の診断支援システム
２０１  受信手段
２０２  データ形式記憶手段
２０３  正常状態基準データ記憶手段
２０４  表示手段（モニタ）
２３０  通信ケーブル
２５０  ＣＤ−ＲＯＭ（記録媒体）
３００  ネットワーク回線
４００  第２段目の診断支援システム
４０１  受信手段
４０２  データ形式記憶手段
４０３  アドレス記憶手段
４０４  正常状態基準データ記憶手段
４０５  転送手段
４１０，４２０  担当者端末
【図１】
0004703838.tif 000002
【図２】
0004703838.tif 000003
【図３】
0004703838.tif 000004
【図４】
0004703838.tif 000005
【図５】
0004703838.tif 000006
【図６】
0004703838.tif 000007
【図７】
0004703838.tif 000008
【図８】
0004703838.tif 000009
【図９】
0004703838.tif 000010
【図１０】
0004703838.tif 000011
【図１１】
0004703838.tif 000012
【図１２】
0004703838.tif 000013
【図１３】
0004703838.tif 000014
【図１４】
0004703838.tif 000015
【図１５】
0004703838.tif 000016
【図１６】
0004703838.tif 000017
【図１７】
0004703838.tif 000018
【図１８】
0004703838.tif 000019